(57)【要約】【課題】本発明は１つのノズルの散布範囲が拡大され、均一な散布が可能となり、ノズルの設置箇所を少なく出来ると共に設置部品点数を減少させ、且つ配管やホース内及びノズル内に薬液を残存させることなく完全に空にすることが短時間で可能となる薬液散布器具用供給装置を提供することを目的とする。【解決手段】薬液供給口１１とエア供給口１２及び薬液送出口１３を有した加圧用の薬液タンク１と、薬液送出口１３とノズル側の間に接続する薬液用電磁バルブ２と、エア供給口１２とノズル側の間に接続するエア用電磁バルブ３と、該エア用電磁バルブ３と薬液用電磁バルブ２の開閉を制御する制御盤４と、エア供給口１２へ圧縮空気を供給するエアコンプレッサー５とから構成する。【選択図】　　　　図１
2004049109.tif 000002
【特許請求の範囲】
【請求項１】
縁の下などに設置された散布器具のノズルから薬液が自動散布されるために接続するものであり、薬液供給口（１１）とエア供給口（１２）及び薬液送出口（１３）を有した加圧用の薬液タンク（１）と、前記薬液送出口（１３）とノズル側の間に接続する薬液用電磁バルブ（２）と、前記エア供給口（１２）とノズル側の間に接続するエア用電磁バルブ（３）と、該エア用電磁バルブ（３）及び前記薬液用電磁バルブ（２）の開閉を制御するために具備した制御盤（４）と、前記エア供給口（１２）へ圧縮空気を供給するためのエアコンプレッサー（５）とから構成したことを特徴とする薬液散布器具用供給装置。
【請求項２】
前記制御盤（４）が、薬液中にエアを所定時間毎に混入させて送るためのシーケンス回路であり、その構造が、電源をＯＮ，ＯＦＦすると共に前記薬液用電磁バルブ（２）を開閉するためのスイッチ１（４１）と、シーケンス回路を作動させるためのスイッチ２（４２）と、該スイッチ２（４２）によってカウント開始させると共に前記エア用電磁バルブ（３）が閉じている時間を設定するタイマー１（４３）と、該タイマー１（４３）がカウント終了すると前記エア用電磁バルブ（３）を開くと共にその開いている時間を設定するタイマー２（４４）と、そのタイマー２（４４）のカウントが終了されるとＯＮすると共に前記タイマー１（４３）とタイマー２（４４）をリセットするためのリレー１（４５）と、該リレー１（４５）をＯＦＦすると共にリセット時に前記タイマー１（４３）とタイマー２（４４）のチャタリングを防止するために設けたタイマー３（４６）とから成された請求項１記載の薬液散布器具用供給装置。
【請求項３】
前記制御盤（４）が、薬液とエアを所定時間毎に交互に送るためのシーケンス回路であり、その構造が、シーケンス回路を作動させるスイッチ１（４１）と、前記薬液用電磁バルブ（２）が開かれる時間を設定すると共にカウント終了時に前記薬液用電磁バルブ（２）が閉じられるためのタイマー１（４３）と、該タイマー１（４３）がカウント終了すると前記エア用電磁バルブ（３）を開くと共にその開いている時間を設定するタイマー２（４４）と、そのタイマー２（４４）のカウントが終了されるとＯＮすると共に前記タイマー１（４３）とタイマー２（４４）をリセットするためのリレー１（４５）と、該リレー１（４５）をＯＦＦすると共にリセット時に前記タイマー１（４３）とタイマー２（４４）のチャタリングを防止するために設けたタイマー３（４６）とから成された請求項１記載の薬液散布器具用供給装置。
【発明の詳細な説明】
【０００１】
【発明の属する技術分野】
本発明は白蟻駆除液，防腐液，防カビ液等を自動散布するために縁の下などに設置させた散布器具へ接続して用いる薬液散布器具用供給装置に関する。
【０００２】
【従来の技術】
一般に縁の下などに散布器具や装置を設置して作業者が床下に入ることなく自動的に白蟻駆除液などの薬液を散布させるようにしたものとしては、特開２００１−２９９１８２がある。これは薬液散布用のノズルを設けた複数個の継手部を複数本のホースで連結し、これらのホースに対してポンプ接続用の継手からのホースの薬液が前記継手部を仲介部として送出され、前記各継手部から薬液を散布するようにした白蟻駆除装置であり、この構造は、ポンプと接続する継手から延出する最初のホースに第１継手部を接続し、この第１継手部から複数本のホースを延出させ、これ等のホースのそれぞれに第２から第Ｎの継手部を順次連結し、しかも前記各継手部にノズルを設けたものであった。しかしながら特開２００１−２９９１８２は、継手部に設けたノズルから薬液を散布する際に、ノズルが固定されていることにより散布範囲が狭い範囲に限られるので、多数の継手部が必要であった。また各継手部の四方向にはホースがそれぞれ連結されていると共に第１継手部にはポンプ接続用迅速継手とホースで接続されているが、散布面積が広くなると、順次継手部の圧力が下がってしまうため、分割して散布面積に応じたポンプを複数台用意して、順次接続して薬液を散布しなければならず、設置作業に手間が掛ると共に各継手部の四方向にホースを連結するため多数の部品点数が必要となり、設置コストが多く掛る等の問題点があった。
【０００３】
このため、本発明者が特願２００２−０５１０１７の白蟻駆除液散布器具を提案した所である。これは設置箇所を少なくし、且つポンプ１台の散布面積が拡大されて設置部品点数を減少させることが可能となり、設置コストの低減化が可能となるものである。この構造は、ノズルを先端に取付けると共に基部を中心として左右方向へ往復移動可能なアームと、該アームを往復移動させるための往復手段と、モーターとから少なくとも構成するものであった。
【０００４】
【発明が解決しようとする課題】
しかしながら特開２００１−２９９１８２や特願２００２−０５１０１７に於ける動力噴霧器などのポンプ装置は、圧力が一定のためノズルから噴出される薬液は同じ距離で且つ同じ範囲しか噴出されないものであった。又、噴霧作業を終了するために動力噴霧器が停止されると、床下などに設置したままの配管やホース内に薬液が残存し、そのままにしておくとホースが劣化したり、ノズルの詰りが発生していた。この時、所定量の薬液、例えば５リットルを噴霧する場合、薬液タンク内に薬液が５リットルだけ入れられて噴霧すると、薬液がなくなった時点でポンプによる薬液の送出が出来なくなり、ノズルからは薬液が少し出るだけとなるため、一般には５リットルの薬液を入れているのが現状である。従って、配管やホース内に薬液の残留を除去させることは出来ず、薬液の定量散布が難しい等の問題点があった。
【０００５】
本発明は１つのノズルの散布範囲が拡大され、均一な散布が可能となり、ノズルの設置箇所を少なく出来ると共に設置部品点数を減少させ、且つ散布器具の設置コストの低減化が可能となる薬液散布器具用供給装置を提供することを目的とする。
【０００６】
本発明の他の目的は、薬液とエアの切換えが可能となるため、配管やホース内及びノズル内に薬液を残存させることなく完全に空にすることが短時間にでき、且つ薬液の量を確実に定量化出来る薬液散布器具用供給装置を提供するにある。
【０００７】
【課題を解決するための手段】
上記問題点を解消するために本発明は成されたものであり、つまり、薬液供給口とエア供給口及び薬液送出口を有した加圧用の薬液タンクと、薬液送出口とノズル側の間に接続する薬液用電磁バルブと、エア供給口とノズル側の間に接続するエア用電磁バルブと、該エア用電磁バルブ及び薬液用電磁バルブの開閉を制御するために具備した制御盤と、エア供給口へ圧縮空気を供給するためのエアコンプレッサーとから構成する。また前記制御盤として、薬液中にエアを所定時間毎に混入させて送るためのシーケンス回路を用いるか、或いは薬液とエアを所定時間毎に交互に送るためのシーケンス回路を用いると良い。そのシーケンス回路が、スイッチ１又はそれと共にスイッチ２と、タイマー１，タイマー２，タイマー３と、リレー１とから成されると良い。
【０００８】
【発明の実施の形態】
図１、図２は本発明の実施形態を示す図であり、この図面に基づいて説明する。（１）は薬液供給口（１１）とエア供給口（１２）及び薬液送出口（１３）を有した加圧用の薬液タンクであり、該薬液タンク（１）としては、２０リットル前後の耐圧タンクを用いる。また前記エア供給口（１２）には、薬液タンク（１）内へ圧縮空気を送り込む口と、後述するエア用電磁バルブ（３）へ圧縮空気を送り込む口とがある。（２）は薬液送出口（１３）とノズル側の中間に接続する薬液用電磁バルブであり、（３）はエア供給口（１２）とノズル側の中間に接続するエア用電磁バルブである。（４）は薬液用電磁バルブ（２）とエア用電磁バルブ（３）の開閉を制御するために具備したシーケンス回路の制御盤であり、該制御盤（４）は、電源をＯＮ，ＯＦＦすると共に前記薬液用電磁バルブ（２）を開閉するためのスイッチ１（４１）と、シーケンス回路を作動させるためのスイッチ２（４２）と、該スイッチ２（４２）によってカウント開始させると共に前記エア用電磁バルブ（３）が閉じている時間を設定するタイマー１（４３）と、該タイマー１（４３）がカウント終了すると前記エア用電磁バルブ（３）を開くと共にその開いている時間を設定するタイマー２（４４）と、そのタイマー２（４４）のカウントが終了されるとＯＮすると共に前記タイマー１（４３）とタイマー２（４４）をリセットするためのリレー１（４５）と、該リレー１（４５）をＯＦＦすると共にリセット時に前記タイマー１（４３）とタイマー２（４４）のチャタリングを防止するために設けたタイマー３（４６）とから構成される。前記スイッチ１（４１）とスイッチ２（４２）には富士電気製で型式ＡＨ３０−Ｐ２Ｂ１１のセレクトスイッチを用い、タイマー１（４３）とタイマー２（４４）及びタイマー３（４６）にはオムロン製で型式Ｈ３Ｙ−２を用い、またリレー１（４５）にはオムロン製で型式ＭＹ２Ｎのミニチュアリレーを用いると良い。尚、この制御盤（４）は薬液の中にエアを混入させて送出するためのシーケンス回路であるが、シーケンス制御以外の方法で制御させても良い。（５）はエア供給口（１２）へ圧縮空気を供給するためのエアコンプレッサーである。
【０００９】
図４は本実施形態の別の制御盤を示す図であり、この図面に基づいて説明する。前記制御盤（４）は、シーケンス回路を作動させるスイッチ１（４１）と、前記薬液用電磁バルブ（２）が開かれる時間を設定すると共にカウント終了時に前記薬液用電磁バルブ（２）が閉じられるためのタイマー１（４３）と、該タイマー１（４３）がカウント終了すると前記エア用電磁バルブ（３）を開くと共にその開いている時間を設定するタイマー２（４４）と、そのタイマー２（４４）のカウントが終了されるとＯＮすると共に前記タイマー１（４３）とタイマー２（４４）をリセットするためのリレー１（４５）と、該リレー１（４５）をＯＦＦすると共にリセット時に前記タイマー１（４３）とタイマー２（４４）のチャタリングを防止するために設けたタイマー３（４６）とから構成されている。この制御盤（４）は薬液とエアを交互に送出するためのシーケンス回路である。
【００１０】
次に本発明の使用方法について説明する。予め床下などに設置した散布器具のノズルに薬液が供給されるホースを接続するために、図示しない継手部にホース接続用継手を接続しておく。先ず始め薬液の中にエアを所定間隔で混入させて送る場合について、図２と図３を基にして説明する。予めエアコンプレッサー（５）を作動させ、薬液タンク（１）内に散布したい量を入れた薬液が圧縮空気によって適宜圧で押された状態としておく。先ずスイッチ１（４１）をＯＮ　にすると、薬液用電磁バルブ（２）が開となり、薬液タンク（１）下部から薬液が送出される。この時、図３で示す上段のスイッチ１（４１）と下段の薬液用電磁バルブ（２）の動作は同じタイミングである。次にスイッチ２（４２）をＯＮ　にすると、タイマー１（４３）がカウントを開始する。このタイマー１（４３）の設定を例えば２秒にすると、タイマー１（４３）がカウントを終了するまでの２秒間はエアが遮断される。そしてタイマー１（４３）がカウントを終了すると、エア用電磁バルブ（３）が開き、薬液タンク（１）の上部のエア供給口（１２）から圧縮空気が送出され、薬液用電磁バルブ（２）からノズル側に送られている薬液の中に前記エアが混入される。またエアが混入されると同時にタイマー２（４４）がカウントを開始する。このタイマー２（４４）の設定を例えば１秒に設定すると、カウントが終了するまでの１秒間エアが混入される。タイマー２（４４）がカウントを終了すると、エア用電磁バルブ（３）が閉じ、同時にリレー１（４５）がＯＮになり、タイマー１（４３）をリセットし、それによってタイマー２（４４）がリセットされ、タイマー３（４６）がカウントを開始する。このタイマー３（４６）は次のサイクルに入る時点でタイマー１（４３）とタイマー２（４４）がリセットされるのに必要な時間として０．３秒程度に設定し、タイマー１（４３）とタイマー２（４４）のチャタリングを防止する。タイマー３（４６）がカウントを終了すると、リレー（４５）がＯＦＦとなり、１サイクルを終了し、シーケンス制御の始めの動作に戻される。
【００１１】
するとタイマー１（４３）がカウントを開始する。タイマー１（４３）のカウントが終了してエア用電磁バルブ（３）が開かれ、薬液タンク（１）のエア供給口（１２）から圧縮空気が送出されて、薬液の中にエアが混入されるのである。そしてタイマー２（４４）が１秒間のカウントを終了すると、エア用電磁バルブ（３）が閉となり、エアの混入を停止させるのである。このように薬液の中には１秒間だけエアが混入して送出され、その後、２．３秒間は薬液だけが送出される。この動作が繰り返される。従って、薬液だけが送出されると、薬液が細く遠くまで噴出され、エアが混入した薬液を送出する時は広く且つ近くが噴霧出来るものとなるため、広範囲に噴霧することが可能となるのである。尚、この時のエアの混入時間やエアの遮断時間は任意に設定出来るものであり、上記の時間に限定されるものではない。また粘度の高い薬液を使用する時には、エアの送出時間を増やして霧状にさせ易くすると良い。
【００１２】
次に別実施形態の制御盤（４）を用い、薬液とエアを所定時間毎に交互に送る場合について、図４と図５を基にして説明する。前記実施形態のものと同様に、予めエアコンプレッサー（５）を作動させて薬液タンク（１）内に圧縮空気を溜めておき、且つ予め床下などに設置した散布器具のノズル側の図示しない継手部にホース接続用継手を接続しておく。先ず始めスイッチ１（４１）をＯＮ　にすると、薬液用電磁バルブ（２）が開き、薬液を送出すると同時にタイマー１（４３）がカウントを開始する。タイマー１（４３）の設定を例えば２秒にすると、２秒間とタイマー３（４６）の設定時間の０．３秒を加算した２．３秒間は薬液だけが送出される。タイマー１（４３）がカウントを終了すると、薬液用電磁バルブ（２）が閉じ、エア用電磁バルブ（３）が開き、エアを送出すると同時にタイマー２（４４）がカウントを開始する。タイマー２（４４）の設定を例えば１秒に設定すると、１秒間エアが送出される。タイマー２（４４）がカウント終了すると、エア用電磁バルブ（３）が閉じる。それと同時にリレー１（４５）がＯＮになり、タイマー１（４３）をリセットし、それによってタイマー２（４４）がリセットされ、タイマー３（４６）がカウントを開始する。このタイマー３（４６）は次のサイクルに入る時点でタイマー１（４３）とタイマー２（４４）がリセットされるのに必要な時間として０．３秒程度に設定し、タイマー１（４３）とタイマー２（４４）のチャタリングを防止する。タイマー３（４６）がカウントを終了すると、リレー１（４５）がＯＦＦとなり、１サイクルを終了し、シーケンス制御の始めの動作に戻される。するとタイマー１（４３）がカウントを開始し、同時に薬液用電磁バルブ（２）が開となり、薬液タンク（１）の下部から薬液が送出される。そして薬液用電磁バルブ（２）が閉となると、薬液の送出を停止すると同時にエアが送出される。このような動作を繰返すことにより、薬液とエアを所定時間毎に交互に切換えてノズルに送出するのである。従って、薬液だけが送出されると、薬液の散布は従来と同じであるが、エアだけが送出されると、ノズルから薬液が霧状になると共にエアだけになる前に薬液を供給させることによって、エアによってその霧状のものが遠くまで運ばれることが可能となり、散布範囲がより拡大されるものとなる。尚、この時のエアの送出時間やエアの遮断時間は任意に設定出来るものである。
【００１３】
このようにして薬液タンク（１）内部の薬液が空になると、薬液タンク（１）の下部から加圧した薬液の代りに加圧されたエア或いは、それと一緒にエアコンプレッサー（５）から直接送られる圧縮したエアとが、縁の下などに設置した配管やノズルに送出されるため、配管やノズル内に薬液が残留することなく排出されることが可能となった。この時、制御盤（４）によって、エアコンプレッサー（５）から直接送られる圧縮されたエアだけが配管やノズル内に送出するようにセットしておくと、湿気の少ないエアであるので、残存薬液を除去する時間が短縮されるものとなる。また薬液タンク（１）内部に噴霧したい量の薬液を入れると、その薬液が途中で溜まることなく全部を散布させることができるため、薬液の量を確実に定量化できるものとなる。
【００１４】
【発明の効果】
本発明はこのように構成させたことにより、下記に記載する効果を有する。
【００１５】
請求項１のように薬液供給口（１１）とエア供給口（１２）及び薬液送出口（１３）を有した加圧用の薬液タンク（１）と、薬液送出口（１３）とノズル側の間に接続する薬液用電磁バルブ（２）と、エア供給口（１２）とノズル側の間に接続するエア用電磁バルブ（３）と、該エア用電磁バルブ（３）及び薬液用電磁バルブ（２）の開閉を制御するために具備した制御盤（４）と、エア供給口（１２）へ圧縮空気を供給するためのエアコンプレッサー（５）とから構成することにより、散布範囲が広がって均一散布が可能となるため、ノズルの設置数量を少なく出来ると共に散布器具の設置部品点数の減少が可能となり、且つ散布器具の設置コストの低減化が可能となる。又、加圧用の薬液タンク（１）を用いると共に薬液とエアの切換えが可能となることにより、床下などに設置したままの配管やホース内に薬液が残存することなく完全に空にすることが可能となるため、従来の如きホースの劣化やノズルの詰り等がなくなり、維持管理が簡単になる。更に薬液の量を確実に定量化でき、且つ薬液を切換えることも可能となった。
【００１６】
請求項２のように電源をＯＮ，ＯＦＦすると共に薬液用電磁バルブ（２）を開閉するためのスイッチ１（４１）と、シーケンス回路を作動させるためのスイッチ２（４２）と、該スイッチ２（４２）によってカウント開始させると共にエア用電磁バルブ（３）が閉じている時間を設定するタイマー１（４３）と、該タイマー１（４３）がカウント終了するとエア用電磁バルブ（３）を開くと共にその開いている時間を設定するタイマー２（４４）と、そのタイマー２（４４）のカウントが終了されるとＯＮすると共にタイマー１（４３）とタイマー２（４４）をリセットするためのリレー１（４５）と、該リレー１（４５）をＯＦＦすると共にリセット時にタイマー１（４３）とタイマー２（４４）のチャタリングを防止するために設けたタイマー３（４６）とから成すことにより、薬液中にエアを所定時間毎に混入させて送るためのシーケンス回路となり、薬液用電磁バルブ（２）とエア用電磁バルブ（３）の開閉が自動的に行えるものとなるため、散布面積を拡大させて均一な散布が可能となり、配管やホース内の薬液の残存をなくすことが容易に出来るものとなる。
【００１７】
請求項３に示すようにシーケンス回路を作動させるスイッチ１（４１）と、薬液用電磁バルブ（２）が開かれる時間を設定すると共にカウント終了時に薬液用電磁バルブ（２）が閉じられるためのタイマー１（４３）と、該タイマー１（４３）がカウント終了するとエア用電磁バルブ（３）を開くと共にその開いている時間を設定するタイマー２（４４）と、そのタイマー２（４４）のカウントが終了されるとＯＮすると共にタイマー１（４３）とタイマー２（４４）をリセットするためのリレー１（４５）と、該リレー１（４５）をＯＦＦすると共にリセット時にタイマー１（４３）とタイマー２（４４）のチャタリングを防止するために設けたタイマー３（４６）とから成すことにより、薬液とエアを所定時間毎に交互に送るためのシーケンス回路となり、薬液用電磁バルブ（２）とエア用電磁バルブ（３）の開閉が自動的に行えるものとなるため、請求項２と同様な効果が得られると共に構造が若干簡単なものとなる。またエアだけを噴霧する際、霧状の薬液をそのエアで遠くまで運ぶことが出来るため、より均一な散布が可能となる。
【図面の簡単な説明】
【図１】本発明の実施形態の要部を示す説明図である。
【図２】本実施形態の制御盤を示すシーケンス回路図である。
【図３】図２のタイミングチャートを示す説明図である。
【図４】他の実施形態の制御盤を示すシーケンス回路図である。
【図５】図４のタイミングチャートを示す説明図である。
【符号の説明】
１　薬液タンク
１１　薬液供給口
１２　エア供給口
１３　薬液送出口
２　薬液用電磁バルブ
３　エア用電磁バルブ
４　制御盤
４１　スイッチ１
４２　スイッチ２
４３　タイマー１
４４　タイマー２
４５　リレー１
４６　タイマー３
５　エアコンプレッサー
【図１】
2004049109.tif 000003
【図２】
2004049109.tif 000004
【図３】
2004049109.tif 000005
【図４】
2004049109.tif 000006
【図５】
2004049109.tif 000007